(57)【要約】【課題】ストッパの使い勝手を向上すると同時に、輸送時等において収納スペースを低減することができるエアゾール缶用吐出具を提供する。【解決手段】本発明に係るエアゾール缶用吐出具１は、ストッパ８０は、誤操作防止位置と解除位置の間でヒンジ８１を介して回動可能に設けられると共に、誤操作防止位置において、エアゾール缶用吐出具１と同一の形状及び寸法になる他のエアゾール缶用吐出具１を後方に整列させた際に、該他のエアゾール缶用吐出具１のノズル先端２１ａを挿入可能な挿入口８２を形成することを特徴とする。【選択図】図６
2015227180.tif 000002
【特許請求の範囲】
【請求項１】
エアゾール缶のステムに取り付けられてノズル先端から内容物を吐出可能なノズル部材と、
前記エアゾール缶のマウンティングカップに取り付けられて前記ノズル先端を前方に突出させつつ前記ノズル部材を取り囲むカバー体と、を備え、
前記カバー体は、押圧力の付与にて前記ノズル部材を押し下げる操作部と、前記操作部の押し下げを規制する誤操作防止位置と該規制を解除する解除位置の間で移動可能なストッパと、を有するエアゾール缶用吐出具において、
前記ストッパは、前記誤操作防止位置と前記解除位置の間でヒンジを介して回動可能に設けられると共に、前記誤操作防止位置において、前記エアゾール缶用吐出具と同一の形状及び寸法になる他のエアゾール缶用吐出具を後方に整列させた際に、該他のエアゾール缶用吐出具のノズル先端を挿入可能な挿入口を形成することを特徴とするエアゾール缶用吐出具。
【請求項２】
前記ストッパは、前記誤操作防止位置において、前記操作部の下面と係合して該操作部の押し下げを防止する、請求項１に記載のエアゾール缶用吐出具。
【請求項３】
前記ストッパは、前記誤操作防止位置において、前記操作部の上面の少なくとも一部を覆うことで、前記操作部の押し下げを規制する、請求項１に記載のエアゾール缶用吐出具。
【請求項４】
前記カバー体は、前記エアゾール缶のマウンティングカップに取り付けられて前記ノズル先端を前方に突出させつつ前記ノズル部材を取り囲むカバー部材と、該カバー部材に取り付けられて押圧力の付与にて前記ノズル部材を押し下げる操作部を有するレバー部材と、を備え、
前記ストッパは、前記カバー部材及び前記レバー部材のうちの一方に一体に設けられている、請求項１〜３のいずれか一項に記載のエアゾール缶用吐出具。
【発明の詳細な説明】
【技術分野】
【０００１】
本発明は、ノズル部材と、該ノズル部材のノズル先端を前方に突出させつつノズル部材を取り囲むカバー体とを備え、カバー体が、ノズル部材を押し下げる操作部と、該操作部の押し下げを規制可能なストッパとを有するエアゾール缶用吐出具に関し、特に、ストッパの使い勝手を向上すると同時に、輸送時等における収納スペースの低減を図ろうとするものである。
【背景技術】
【０００２】
従来、この種のエアゾール缶用吐出具として、例えば特許文献１に記載されるようなものが知られている。特許文献１では、カバー体は、エアゾール缶のマウンティングカップに直接取り付けられてノズル先端を前方に突出させつつノズル部材を取り囲むカバー本体部と、該カバー本体部に一体に連結した操作部と、カバー本体部に形成された係合板に摺動可能に係合するストッパとを備えている。
【先行技術文献】
【特許文献】
【０００３】
【特許文献１】特開２００２−３２６６７９号公報
【発明の概要】
【発明が解決しようとする課題】
【０００４】
しかしながら、特許文献１に記載されるような従来のエアゾール缶用吐出具は、操作部の押し下げの規制を解除するために、ストッパを左右どちらかの方向へ摺動させるか、あるいは係合板から離脱させるようになっているため、ストッパが脱落し、紛失してしまうおそれがあった。
【０００５】
また、輸送等のために、複数のエアゾール缶用吐出具を前後に整列させて収納する際には、カバー体から前方に突出したノズル先端が、前方に配置されたエアゾール缶用吐出具のカバー体の後方に突き当たるため、比較的大きな収納スペースを必要としていた。
【０００６】
本発明は、前記の現状に鑑み開発されたもので、ストッパの使い勝手を向上すると同時に、輸送時等において収納スペースを低減することができるエアゾール缶用吐出具を提供することを目的とする。
【課題を解決するための手段】
【０００７】
すなわち、本発明の要旨構成は以下のとおりである。
１．エアゾール缶のステムに取り付けられてノズル先端から内容物を吐出可能なノズル部材と、
前記エアゾール缶のマウンティングカップに取り付けられて前記ノズル先端を前方に突出させつつ前記ノズル部材を取り囲むカバー体と、を備え、
前記カバー体は、押圧力の付与にて前記ノズル部材を押し下げる操作部と、前記操作部の押し下げを規制する誤操作防止位置と該規制を解除する解除位置の間で移動可能なストッパと、を有するエアゾール缶用吐出具において、
前記ストッパは、前記誤操作防止位置と前記解除位置の間でヒンジを介して回動可能に設けられると共に、前記誤操作防止位置において、前記エアゾール缶用吐出具と同一の形状及び寸法になる他のエアゾール缶用吐出具を後方に整列させた際に、該他のエアゾール缶用吐出具のノズル先端を挿入可能な挿入口を形成することを特徴とするエアゾール缶用吐出具。
【０００８】
２．前記ストッパは、前記誤操作防止位置において、前記操作部の下面と係合して該操作部の押し下げを防止する、前記１のエアゾール缶用吐出具。
【０００９】
３．前記ストッパは、前記誤操作防止位置において、前記操作部の上面の少なくとも一部を覆うことで、前記操作部の押し下げを規制する、前記１のエアゾール缶用吐出具。
【００１０】
４．前記カバー体は、前記エアゾール缶のマウンティングカップに取り付けられて前記ノズル先端を前方に突出させつつ前記ノズル部材を取り囲むカバー部材と、該カバー部材に取り付けられて押圧力の付与にて前記ノズル部材を押し下げる操作部を有するレバー部材と、を備え、
前記ストッパは、前記カバー部材及び前記レバー部材のうちの一方に一体に設けられている、前記１〜３のいずれかのエアゾール缶用吐出具。
【発明の効果】
【００１１】
本発明によれば、ストッパをヒンジを介して誤操作防止位置と解除位置の間で回動させるだけで、操作部の押し下げを規制し、あるいは該規制を解除することができるため、ストッパの使い勝手を向上させることができる。また、当該ストッパを誤操作防止位置に回動させた状態で他のエアゾール缶用吐出具を後方に整列させた際には、ストッパが形成する挿入口に、該他のエアゾール缶用吐出具のノズル先端を挿入させることができるため、前後に整列させたエアゾール缶用吐出具間の間隔を狭め、収納スペースを低減することができる。
【００１２】
したがって、本発明によれば、ストッパの使い勝手を向上すると同時に、輸送時等において収納スペースを低減することができるエアゾール缶用吐出具を提供することができる。
【図面の簡単な説明】
【００１３】
【図１】本発明の一実施形態に係るエアゾール缶用吐出具をエアゾール缶に取り付けた状態を表す半断面正面図である。
【図２】図１のエアゾール缶用吐出具をエアゾール缶に取り付けた状態を表す一部断面側面図である。
【図３】図１のエアゾール缶用吐出具をエアゾール缶に取り付けた状態を表す背面図である。
【図４】図１のエアゾール缶用吐出具をエアゾール缶に取り付けた状態を表す一部断面側面図であって、ストッパの解除要領を表す。
【図５】図１のエアゾール缶用吐出具をエアゾール缶に取り付けた状態を表す一部断面側面図であって、吐出時の様子を表す。
【図６】図１のエアゾール缶用吐出具の収納時の様子を表す一部断面側面図である。
【図７】本発明の他の実施形態に係るエアゾール缶用吐出具の平面図である。
【図８】図７のエアゾール缶用吐出具をエアゾール缶に取り付けた状態を表す半断面正面図である。
【図９】図７のエアゾール缶用吐出具をエアゾール缶に取り付けた状態を表す一部断面側面図である。
【図１０】図７のエアゾール缶用吐出具をエアゾール缶に取り付けた状態を表す背面図である。
【図１１】図７のエアゾール缶用吐出具をエアゾール缶に取り付けた状態を表す背面図であって、ストッパを誤操作防止位置に回動させた状態を表す。
【発明を実施するための形態】
【００１４】
以下、図１〜図６を参照して、本発明の一実施形態に係るエアゾール缶用吐出具１について詳細に例示説明する。
なお、本明細書において前方とは、ノズル２１の先端２１ａ（吐出口）側であり、後方とは、ノズル２１の軸線に沿って前方とは反対側である。また、側方とは、前方から後方に向ってエアゾール缶用吐出具１を見る際の左右方向である。
【００１５】
図１〜図３に示すように、本実施形態に係るエアゾール缶用吐出具１（以下、吐出具１ともいう）は、ノズル部材２０とカバー体３０とを備える。また、本実施形態では、カバー体３０は、カバー部材４０とレバー部材５０とを備え、エアゾール缶６０には、固定盤７０を介して取り付けられるようになっている。吐出具１は、本実施形態では、左右に並列配置された一対のエアゾール缶６０に取り付けられる、２連式エアゾール缶用吐出具１として構成されている。
【００１６】
一対のエアゾール缶６０はいずれも、例えば金属製の有底筒状の容器本体に、例えば金属製のマウンティングカップ６１の外縁を巻き締めして固着したものであり、マウンティングカップ６１から立ち上がるステム６２を有している。
【００１７】
固定盤７０は、マウンティングカップ６１と係合する係止爪７１（図２参照）と、ステム６２を露出させる開口とを備え、一対のエアゾール缶６０のマウンティングカップ６１に取り付けられている。
【００１８】
ノズル部材２０は、先端２１ａに吐出口を有するノズル２１と、一対のエアゾール缶６０のステム６２にそれぞれ嵌合により取り付けられる一対の嵌合筒２２と、ノズル２１の基端及び一対の嵌合筒２２の上端に連結するノズル基体２３とを有する。ノズル基体２３には、一対の嵌合筒２２を通じてステム６２から流入する内容物を、ノズル２１の基端に導く流路が形成されている。
【００１９】
カバー部材４０は、固定盤７０を介して、一対のエアゾール缶６０のマウンティングカップ６１に取り付けられている。カバー部材４０は、その両サイドに設けた連係解除用の押圧片４１の押圧操作によって、固定盤７０における爪部７２との連携を解除して取り外すことができるようになっており、これにより洗浄時等における吐出具１の脱着が容易になっている。
【００２０】
カバー部材４０は、前側凹部４２と後側凹部４３とを有する外周壁４４と、該外周壁４４の上端縁に繋がるフランジ状壁４５と、該フランジ状壁４５の内側縁から垂下する内周壁４６と、該内周壁４６の下端に一体連結しエアゾール缶６０のステム６２を露出させる開口を有する底壁４７とを有しており、ノズル先端２１ａを前方に突出させつつノズル部材２０を取り囲んでいる。
【００２１】
レバー部材５０は、カバー部材４０の内周壁４６に嵌合により取り付けられる略楕円形をなす嵌合壁部５１と、該嵌合壁部５１にヒンジ５２を介して回動可能につながり、押圧力の付与にてノズル部材２０を押し下げる略Ｔ字状の操作部５３とを有している。操作部５３は、詳細には、その下面に形成された突起５４を介してノズル部材２０を押し下げるようになっている。
【００２２】
図２及び図３に示したように、カバー部材４０には、ストッパ８０が、操作部５３の押し下げを規制する誤操作防止位置と該規制を解除する解除位置の間でヒンジ８１を介して回動可能に設けられている。詳細には、ストッパ８０は、図２に示したような、該ストッパ８０を略垂直に起立させ、操作部５３の下面に形成された係合凹部５５と係合させた誤操作防止位置において、操作部５３の押し下げを防止する。
【００２３】
また、ストッパ８０は、略Ｕ字状をなしており、誤操作防止位置において、後掲図６に示すように、当該吐出具１と同一の形状及び寸法になる他の吐出具１を後方に整列させた際に、該他の吐出具１のノズル先端２ａを挿入可能な挿入口８２を形成するようになっている。
【００２４】
さらに、ストッパ８０は、図４及び図５に示すように、後方に倒された解除位置において、カバー部材４０の後側凹部４３底面に形成された一対の係合突起４３ａ（図３参照）と係合することで、当該解除位置に保持されるようになっている。
【００２５】
かかる構成になるエアゾール缶用吐出具１によれば、図２に示したように、ストッパ８０を誤操作防止位置に配置することで、操作部５３を下方から支持して、該操作部５３の押し下げを防止することができる。また、図４に示したように、操作部５３を引き上げて、ストッパ８０を後方へヒンジ８１を介して回動させて一対の係合突起４３ａ（図３参照）と係合させ、解除位置に配置することで、図５に示したように、操作部５３の押し下げを可能にすることができる。
【００２６】
また、吐出具１の輸送時等において、図６に示すように、ストッパ８０を誤操作防止位置に回動させた状態で他の吐出具１を後方に整列させた際には、ストッパ８０が形成する挿入口８２に、該他の吐出具１のノズル先端２ａを挿入させることができるため、前後に整列させた吐出具１，１間の間隔を狭め、収納スペースを低減することができる。
【００２７】
次に、図７〜図１１を参照して、本発明の他の実施形態に係るエアゾール缶用吐出具１００について詳細に例示説明する。
図７〜図１０に示すように、本実施形態に係るエアゾール缶用吐出具１００（以下、吐出具１００ともいう）は、ストッパ８０’が、レバー部材５０’に一体に設けられている。また、レバー部材５０’は、嵌合壁部５１’の前端部分に設けられた押圧片５６を後方へ押圧することで、カバー部材４０’の前側凹部４２に形成された嵌合凹部４２ａとの係合を解除させ、該レバー部材５０’を上方へスライドさせてカバー部材４０’から取り外せるようになっている。そして、ノズル部材２０’は、エアゾール缶６０’のステム６２’から取り外し、ノズル基体２３’に設けられた係合レバー２４（図９参照）を操作して、ノズル基体２３’を、ヒンジ２５を中心に開放させることで、ノズル基体２３’内の流路を容易に洗浄できるようになっている。
【００２８】
ストッパ８０’は、嵌合壁部５１’の後壁下端に一体連結して後方に延びる一対の脚部５７にヒンジ５８を介して一体連結し、側面視略Ｌ字状をなしつつ下方に延び（図９において符号８０’と共に示す実線参照）、且つ、背面視略Ｕ字状をなしている。また、ストッパ８０’は、ヒンジ５８を介して上方に向けて回動させることで、操作部５３’の上面の一部を覆い、操作部５３’の押し下げを規制する誤操作防止位置に配置される（図９において符号８０’と共に示す一点鎖線、及び図１１参照）ようになっている。ストッパ８０’は、本実施形態では、誤操作防止位置において、カバー部材４０’の後側凹部４３’側面に形成された一対の係合突起４３ａ’と係合することで、誤操作防止位置に保持されるようになっている。
【００２９】
また、ストッパ８０’は、ヒンジ５８を介して下方に向けて回動させることで、該ストッパ８０’の側面が、カバー部材４０’の外周壁４４’背面に形成された一対の縦リブ４８の内側面と係合し、操作部５３’の押し下げの規制を解除した解除位置に保持される（図９において符号８０’と共に示す二点鎖線参照）ようになっている。詳細には、解除位置において、ストッパ８０’の側面に形成された突起８３が、一対の縦リブ４８の内側面に形成された突起４８ａと係合するようになっている。
【００３０】
さらに、ストッパ８０’は、前述した実施形態の場合と同様に、誤操作防止位置において、当該吐出具１００と同一の形状及び寸法になる他の吐出具１００を後方に整列させた際に、該他の吐出具１００のノズル先端２１ａ’を挿入可能な挿入口８２’を形成するようになっている。
【００３１】
吐出具１００のその他の構成は、前述した実施形態の場合と同様である。
かかる構成になるエアゾール缶用吐出具１００によれば、前述した実施形態の場合と同様の効果を得ることができる。
【００３２】
前述したところは、本発明の一実施形態を示したにすぎず、特許請求の範囲において、種々の変更を加えることができる。例えば、前述したいずれの実施形態においても、カバー体３０，３０’は、カバー部材４０，４０’が固定盤７０，７０’を介してエアゾール缶６０，６０’に取り付けられるものとして説明したが、必ずしもこのような構成に限られるものではなく、固定盤７０，７０’を省略し、カバー部材４０，４０’を直接、エアゾール缶６０，６０’に取り付けるように構成することも可能である。また、前述したいずれの実施形態においても、吐出具１，１００を２連式エアゾール缶用吐出具１，１００として構成した場合について説明したが、例えば、１本又は２本のステム６２，６２’を有する単一のエアゾール缶６０，６０’に取り付けるように構成してもよい。
【符号の説明】
【００３３】
１，１００  エアゾール缶用吐出具
２０，２０’  ノズル部材
２１  ノズル
２１ａ，２１ａ’  ノズル先端
２２  嵌合筒
２３，２３’  ノズル基体
２４  係合レバー
２５  ヒンジ
３０，３０’  カバー体
４０，４０’  カバー部材
４１  押圧片
４２  前側凹部
４２ａ  嵌合凹部
４３，４３’  後側凹部
４３ａ，４３ａ’  係合突起
４４，４４’  外周壁
４５  フランジ状壁
４６  内周壁
４７  底壁
４８  縦リブ
４８ａ  突起
５０，５０’  レバー部材
５１，５１’  嵌合壁部
５２  ヒンジ
５３，操作部５３’  操作部
５４  突起
５５  係合凹部
５６  押圧片
５７  脚部
５８  ヒンジ
６０，６０’  エアゾール缶
６１  マウンティングカップ
６２，６２’  ステム
７０，７０’  固定盤
７１  係止爪
７２  爪部
８０，８０’  ストッパ
８１  ヒンジ
８２，８２’  挿入口
８３  突起
【図１】
2015227180.tif 000003
【図２】
2015227180.tif 000004
【図３】
2015227180.tif 000005
【図４】
2015227180.tif 000006
【図５】
2015227180.tif 000007
【図６】
2015227180.tif 000008
【図７】
2015227180.tif 000009
【図８】
2015227180.tif 000010
【図９】
2015227180.tif 000011
【図１０】
2015227180.tif 000012
【図１１】
2015227180.tif 000013